(57)【特許請求の範囲】
【請求項１】
車両に搭載された変速機の変速段を制御する変速機制御装置であって、
前記変速機制御装置は、前記車両の車速と前記車両に搭載されたエンジンのアクセル開度とに対応して変速段を決定する変速段決定手段を有し、さらに、
前記変速機制御装置は、前記車両に作用する勾配抵抗を演算する勾配抵抗演算手段とタイマーとを備え、かつ、前記車両に作用する勾配抵抗の増加に応じて増大するアクセル開度の所定値を設定する手段を備えており、
前記変速段決定手段により決定された変速段が現在の変速段よりも高速段である場合には、前記アクセル開度が前記所定値を超えるか否かの判断を実行し、
前記アクセル開度が前記所定値を超えるときには、前記タイマーに単位時間を加算する演算を実行し、
前記タイマーが所定時間を越えていない場合は高速段への変速を行わずに前記勾配抵抗演算手段により演算された勾配抵抗により前記所定値を更新し、
前記アクセル開度が、更新された前記所定値を超えるときには前記タイマーに単位時間を加算し、前記タイマーにより所定時間の経過が検出された場合に高速段への変速を行うとともに、前記アクセル開度が前記所定値以下であるときには、高速段への変速を禁止し、かつ、前記勾配抵抗演算手段により勾配抵抗を再度演算して前記所定値を求めた後に、前記アクセル開度が該所定値を超えるか否かの判断を実行することを特徴とする変速機制御装置。
【請求項２】
前記アクセル開度が前記所定値以下であるときには、前記タイマーをクリアし、かつ、前記勾配抵抗演算手段により勾配抵抗を再度演算して前記所定値を求めた後に、前記アクセル開度が該所定値を超えるか否かの判断を実行する請求項１に記載の変速機制御装置。
【請求項３】
前記変速機が、前記変速機制御装置により変速段の制御を行う平行軸歯車機構式変速機である請求項１又は請求項２に記載の変速機制御装置。
【発明の詳細な説明】
【技術分野】
【０００１】
本発明は、複数の変速段を有する変速機を搭載した車両において、車両走行状態に応じて変速段を自動的に制御する変速制御装置に関するものである。
【背景技術】
【０００２】
最近の車両では各種の装置の自動化が進展しており、動力伝達装置についても、車両の運転の容易化さらには運転者の疲労軽減のため、種々の自動的な車両用動力伝達装置が開発されている。トルクコンバータと遊星歯車機構を組み合わせた自動変速機がその代表的なものであり、いわゆるオートマ車（ＡＴ車）の動力伝達装置として広く普及している。自動変速機以外にも、いわゆるマニュアル車（ＭＴ車）と同様な平行軸歯車機構式変速機を使用して、これと自動操作クラッチとを組み合わせ、電子制御装置により車両の走行状態に応じて自動的に変速段を切り換える動力伝達装置が存在する。平行軸歯車機構式変速機を使用して自動的に変速を行う変速装置はＡＭＴと呼ばれることがあり、以下では、この変速装置を「自動変速制御の平行軸歯車機構式変速機」という。
【０００３】
自動変速機のトルクコンバータには伝達損失が存在し、また、遊星歯車機構及びその制御装置は複雑で高価なものである。自動変速制御の平行軸歯車機構式変速機は、自動操作クラッチと組み合わされたものでトルクコンバータの介在に伴う伝達損失がないから、自動変速機よりも車両の燃料経済性の面では優れており、変速機構の構成や制御も自動変速機に比べ簡易かつ信頼性の高いものとなる。したがって、積載重量が大きく燃料経済性を重視するトラックなどでは、アクチュエータにより自動的な変速操作を行う自動変速制御の平行軸歯車機構式変速機を用いる場合が多い。
【０００４】
自動的に変速段の切り換えを実行する変速機が搭載された車両の動力伝達装置について、その概要及び各機器の制御装置の全体的な関連を、図５によって説明する。
図５に示す車両には、動力伝達装置として、エンジン１、変速機２が搭載され両者の間にクラッチ（湿式多板クラッチ）３が配置してある。この例のエンジン１は、燃料噴射ポンプを備えたディーゼルエンジンであり、運転者の操作するアクセルペダル１１の踏み込み量等に応じて燃料噴射ポンプを制御し、燃料供給量を変更するエンジン制御装置（ＥＣＵ）１２を有している。また、この例の変速機２は、自動変速制御の平行軸歯車機構式の多段変速機であり、変速機制御装置（ＴＣＵ）２１で制御され変速段を切り換えるアクチュエータ２２を備えている。変速機２の出力軸は最終的には車輪４に連結され、車輪４にはその回転数により車速を検出する車速センサ５が設置される。変速機２の前方に配置されたクラッチ３は、変速段の切り換え時にクラッチを自動的に断接するクラッチ制御装置（ＣＣＵ）３１を有する。
【０００５】
なお、図５の動力伝達装置は、エンジン１とクラッチ３との間に流体継手（フルードカップリング）６を介在させたものである。流体継手６は、トルクコンバータのようにトルク増幅機能を備えたものではないが、これを介在させることにより、流体継手のポンプ６１とタービン６２との間の滑りを利用したスムースな車両の発進が可能となる。発進後車両が１０ｋｍ／ｈ程度の所定速度に達した時点で、ポンプ６１とタービン６２とはロックアップクラッチ６３によって一体的に締結され、エンジン１がクラッチ３に直接結合された状態となる。
【０００６】
変速機制御装置２１は、車両走行状態に対応して変速段を決定する変速段決定手段を備えており、変速段決定手段には、車速とエンジンのアクセル開度（運転者のアクセルペダルの踏み込み量）とにより変速段を決定する、図６に示すようなシフトマップが格納されている。シフトマップは、車速とアクセル開度とに対応する変速段の領域を定めたものであり、車両の走行状態がシフトマップにおける変速点ラインを越えて別の変速段の領域に移行したときは、変速段決定手段が変速指令を出力し、変速機制御装置２１は、アクチュエータ２２を操作して変速段を変更する。車両走行時における最適な変速点は、低速段から高速段に変更するシフトアップの場合と、高速段から低速段に変更するシフトダウンの場合とでは異なるため、シフトマップには、シフトアップとシフトダウンのそれぞれに対応する変速点ラインが書き込んである。換言すれば、車速とエンジンのアクセル開度とにより決定される目標の変速段の領域は、シフトアップの場合とシフトダウンの場合とで相違するものとなっている。
【０００７】
シフトマップを使用する変速段決定手段は、図５に示すような自動変速制御の平行軸歯車機構式変速機に限らず、自動変速機でも採用されるものである。例えば、特開昭６３−１６７１６２号公報には平行軸歯車機構式変速機をシフトマップにより制御する変速制御装置が、また、特開２００５−３０８０９６号公報には自動変速機をシフトマップにより制御する変速制御装置が開示されている。
【特許文献１】特開昭６３−１６７１６２号公報
【特許文献２】特開２００５−３０８０９６号公報
【発明の開示】
【発明が解決しようとする課題】
【０００８】
車両の車速は、アクセル開度を一定に保持した場合でも、車両が走行する路面の状況により変化する。そのため、シフトマップを使用し自動的に変速段を制御する変速機では、路面状況によっては変速段の切り換えが繰り返し起こることがある。例えば、登坂路において、図６におけるＡ点の２速の走行状態にある車両の速度が上昇し３速領域（シフトアップ用マップ）にあるＢ点に移ると、変速段はシフトアップして３速に切り換わる。２速よりもギヤ比の小さい３速への切り換えにより駆動トルクが減少すると、路面の勾配抵抗によって車速が減少し、車両走行状態が２速領域（シフトダウン用マップ）のＣ点に移行したときは、再び２速にシフトダウンされる。２速への切り換えで駆動トルクが増加すると、車両は増速され、Ｂ点に達したときには３速に切り換えられる。このように、シフトアップ、シフトダウンを繰り返すいわゆるハンチングが生じたときは、変速に伴う変速ショックが頻繁に発生して運転フィーリングの悪化をもたらすとともに、変速機や変速機操作装置に大きな負担をかける。
【０００９】
また、シフトマップを使用して変速段を制御する変速機では、運転者の意図に反してシフトアップが実行され、エンジンブレーキによる車両の減速効果が減殺されてしまうことがある。例えば、図６におけるＤ点の２速の走行状態にある車両がカーブに差し掛かったときに、減速のために運転者がアクセルペダルから足を離して急激にアクセル開度を低下させた場合には、車両の走行状態が、車速が元のままでアクセル開度が０％であるＥ点に移る。この過程で２速から３速への変速点ラインを通過するから、変速機制御装置は変速段を３速にシフトアップするが、エンジンブレーキによる減速効果は、車輪からエンジンを逆に駆動するときの抵抗に由来するものであって、３速におけるエンジンブレーキによる制動力は２速のときよりも小さい。その結果、車両の減速が遅れ、運転者の期待する減速効果が得られないこととなる。
本発明は、シフトマップを使用し自動的に変速機の変速段を制御する変速機制御装置において、登坂路等での頻繁な変速操作を解消し、さらには、運転者の意図に反するようなシフトアップを回避してエンジンブレーキによる制動力を確保することを課題とする。
【課題を解決するための手段】
【００１０】
上記の課題に鑑み、本発明は、シフトマップにより変速段を切り換える変速機制御装置において、エンジンのアクセル開度が所定値以下の状態ではシフトアップを禁止し、しかも、そのアクセル開度の所定値を車両が走行する路面の勾配抵抗に応じて変更するものである。すなわち、本発明は、
「車両に搭載された変速機の変速段を制御する変速機制御装置であって、
前記変速機制御装置は、前記車両の車速と前記車両に搭載されたエンジンのアクセル開度とに対応して変速段を決定する変速段決定手段を有し、さらに、
前記変速機制御装置は、前記車両に作用する勾配抵抗を演算する勾配抵抗演算手段とタイマーとを備え、かつ、前記車両に作用する勾配抵抗の増加に応じて増大するアクセル開度の所定値を設定する手段を備えており、
前記変速段決定手段により決定された変速段が現在の変速段よりも高速段である場合には、前記アクセル開度が前記所定値を超えるか否かの判断を実行し、
前記アクセル開度が前記所定値を超えるときには、前記タイマーに単位時間を加算する演算を実行し、
前記タイマーが所定時間を越えていない場合は高速段への変速を行わずに前記勾配抵抗演算手段により演算された勾配抵抗により前記所定値を更新し、
前記アクセル開度が、更新された前記所定値を超えるときには前記タイマーに単位時間を加算し、前記タイマーにより所定時間の経過が検出された場合に高速段への変速を行うとともに、前記アクセル開度が前記所定値以下であるときには、高速段への変速を禁止し、かつ、前記勾配抵抗演算手段により勾配抵抗を再度演算して前記所定値を求めた後に、前記アクセル開度が該所定値を超えるか否かの判断を実行する」
ことを特徴とする変速機制御装置となっている。
【００１１】
請求項２に記載のように、前記変速機制御装置は、前記アクセル開度が前記所定値以下であるときには、前記タイマーをクリアし、かつ、前記勾配抵抗演算手段により勾配抵抗を再度演算して前記所定値を求めた後に、前記アクセル開度が該所定値を超えるか否かの判断を実行するものであることが好ましい。
【００１２】
請求項３に記載のように、本発明は、前記変速機制御装置により変速段の制御を行う平行軸歯車機構式変速機に好適なものである。
【発明の効果】
【００１３】
本発明の変速機制御装置は、車両の車速とエンジンのアクセル開度とに対応して変速段を決定する変速段決定手段、つまりシフトマップによって変速段を決める変速段決定手段を備え、車両走行時の変速段は、基本的には車速とアクセル開度とに応じて決定される。そして、本発明の変速機制御装置には、アクセル開度が所定値以下であるときには高速段への変速を禁止する変速禁止手段が設けてあり、シフトアップは、アクセル開度がその所定値を超えない限り、実行されることはない。シフトアップを許可するアクセル開度の所定値、すなわち変速許可最低アクセル開度は、車両に作用する勾配抵抗の増加に応じて増大するように設定されている。
【００１４】
したがって、本発明の変速機制御装置では、登坂路において、前述の図６におけるＡ点の２速の走行状態にある車両の速度が上昇しＢ点に移ったとしても、運転者が変速許可最低アクセル開度以上にアクセルペダルを踏み込んでいないときは、３速への切り換えが行われることはなく、駆動トルクの減少による車速の低下は生じない。車速の低下でシフトダウンの変速点ラインを通過しＣ点に移行することもないから、シフトアップ、シフトダウンを繰り返すハンチングは発生せず、車両に与える変速ショックや運転者に与えるフィーリングの悪化を回避することができる。また、無用なシフトアップが防止され、頻繁な変速作動、いわゆるシフトビジーが防止されるから、変速機等に過大な負担がかからずその耐久性に悪影響を及ぼすことがない。
【００１５】
運転者が変速許可最低アクセル開度を超えてアクセルペダルを踏み込んでいるときには、登坂路においてもシフトアップを実行するが、この場合にはエンジンの発生トルクが十分であって、シフトアップをしても車速は低下しない。変速許可最低アクセル開度は、車両に作用する勾配抵抗の増加に応じて増大するように設定されているので、路面の勾配が増加するにつれ、シフトアップにはより大きなアクセル開度が必要となり、車速の低下防止のために要するエンジントルクの増大を図ることができる。
【００１６】
そして、本発明の変速機制御装置では、運転者の意図しないシフトアップが実行され、エンジンブレーキの制動効果が減殺される事態が防止される。例えば、車両が前述の図６におけるＤ点の２速の走行状態にあるときに、カーブの手前で減速のために運転者がアクセルペダルから足を離すと、アクセル開度は急激に低下して０％となり、車両の走行状態はＥ点に移る。このアクセル開度は、当然変速許可最低アクセル開度以下であるから、シフトマップにおけるシフトアップの変速点ラインを通過していても３速への変速が禁止され、車両は２速の状態を保つ。そのため、アクセルペダルの開放に伴うエンジンブレーキの制動力が十分に確保され、車両の速度は迅速に減少することとなる。
【００１７】
また、本発明の変速機制御装置では、車両の走行状態が所定時間以上連続して変速許可最低アクセル開度を超えているときに、高速段への変速を行うようにしている。本発明の変速機制御装置は、基本的に、車両に作用する勾配抵抗に応じて変化する変速許可最低アクセル開度を超えているときにシフトアップするものであるが、例えば、勾配抵抗の算出に要する測定値の検出信号に何らかの原因でノイズが混入し誤って変速許可最低アクセル開度が設定される虞れがある。ノイズはごく短時間で消滅するものであるから、車両の走行状態が所定時間以上連続して変速許可最低アクセル開度を超えているときにシフトアップを実行すると、検出信号のノイズに起因する不測の変速を防止することが可能である。
【００１８】
本発明は、シフトマップにより変速段を決める変速段決定手段を備えた変速機制御装置であれば、自動変速制御の平行軸歯車機構式変速機にも自動変速機にも適用可能である。ただし、自動変速制御の平行軸歯車機構式変速機では、変速の際にエンジンと変速機との間のクラッチが切断され、短時間、エンジン動力の伝達が遮断される関係で、変速ショックが自動変速機よりも大きい傾向にある。請求項３の発明のように、本発明を自動変速制御の平行軸歯車機構式変速機に適用したときは、エンジン動力の遮断に伴う運転フィーリングの阻害も解消することができる。
【発明を実施するための最良の形態】
【００１９】
以下、図面に基づいて本発明の変速機制御装置の実施例について記述するが、この実施例は、本発明を自動変速制御の平行軸歯車機構式変速機に適用したものであって、車両の動力伝達装置の基本的な構成及び各機器の作動は、図５に示した従来のものと変わりはない。すなわち、本発明の変速機制御装置は、車両の車速センサ５からの信号とエンジンのアクセル開度（運転者のアクセルペダル１１の踏み込み量）の信号が入力され、車速とアクセル開度とに対応するシフトマップにより変速段を決定する。変速機制御装置２１から変速段の切り換え信号が出力されると、それに応じてアクチュエータ２２が変速段を変更する。
【００２０】
本発明の変速機制御装置は、登坂路等での無用の変速を止め、かつ、エンジンブレーキの効果を確保するため、エンジンのアクセル開度が所定値（変速許可最低アクセル開度）以下の状態ではシフトアップを禁止するものであり、変速機制御装置の構成及び作動について図１のフローチャートにより説明する。
図１において、変速段を決定するフローがスタートすると、ステップＳ１では、車速センサにより検出される車速Ｖとアクセルセンサにより検出されるアクセル開度Ａとの読み込みが行われる。次いで、ステップＳ２においては、制御装置に格納されたシフトマップを用い、読み込まれた車速Ｖとアクセル開度Ａとに対応して目標とする変速段が決定される。本発明で使用するシフトマップは、従来の変速機制御装置における図６に示すシフトマップと同様なマップであって、シフトアップの変速点とシフトダウンの変速点とが書き込まれている。目標とする変速段の領域は、シフトアップ用のシフトマップとシフトダウン用のシフトマップとでは異なるものとなるため、ステップＳ２では、シフトアップ用の目標変速段Ｎｄとシフトダウン用の目標変速段Ｎｄ’とがそれぞれ決定される。ステップＳ１及びステップＳ２は、本発明の変速段決定手段を構成するものとなっている。
【００２１】
ステップＳ３では、車両走行中の実際のギヤ段である現在の変速段Ｎｒが読み込まれ、ステップＳ４及びステップＳ５において、変速段決定手段で決定された目標変速段Ｎｄ及びＮｄ’と現在の変速段Ｎｒとが比較される。ステップＳ４では、シフトアップ用の目標変速段Ｎｄが現在の変速段Ｎｒよりも大きいか否か、つまり車両走行状態がシフトアップを要するものか否かが判断される。ステップＳ４の判断が否である場合には、ステップＳ５でシフトダウン用の目標変速段Ｎｄ’がＮｒよりも小さいか否かが判断され、Ｎｄ’がＮｒより小さいときはステップＳ６に進んで変速機制御装置はシフトダウンの指令を出力する。ステップＳ５の判断が否である場合には、現在の変速段がシフトアップもシフトダウンも必要ない状態にあるので、変速指令を出力せずにフローを終了する。なお、シフトダウンについて許可条件を設定するステップを追加し、それが満足されたときにシフトダウンの指令を発するようにしてもよい。
【００２２】
ステップＳ４の判断がＹｅｓであり、車速Ｖとアクセル開度Ａとにより決定されたシフトアップ用の目標変速段Ｎｄが現在の変速段Ｎｒよりも高速段である場合には、本発明の変速機制御装置においては、アクセル開度Ａがシフトアップの変速に適正な変速許可最低アクセル開度を超えているかどうかを判断する。変速許可最低アクセル開度は、車両に作用する勾配抵抗の増加に応じて増大するように、勾配抵抗の関数として設定されている。そのため、ステップＳ７では、車両に作用する勾配抵抗の演算（後述）を実行し、ステップＳ８においては、勾配抵抗と変速許可最低アクセル開度Ａｍｉｎの関係を表す最低アクセル開度マップを用いて、アクセル開度Ａが変速許可最低アクセル開度Ａｍｉｎを超えているかどうかの判断を実行する。
【００２３】
この実施例における変速許可最低アクセル開度Ａｍｉｎは、勾配抵抗に対応して図２に示すように設定されている。つまり、車両が下り坂を走行中で勾配抵抗が負であるときには変速許可最低アクセル開度Ａｍｉｎは一定値であり、登坂路を走行中で勾配抵抗が正の場合には、勾配抵抗の増大に比例して変速許可最低アクセル開度Ａｍｉｎが増加する。このような勾配抵抗と変速許可最低アクセル開度との関係は、変速許可最低アクセル開度におけるエンジン出力トルク等を勘案して設定することができる。
アクセル開度Ａが変速許可最低アクセル開度Ａｍｉｎを超えている場合はステップＳ９に進み、変速機制御装置がシフトアップの指令を出力して、変速段は目標変速段Ｎｄに切り換えられる。変速許可最低アクセル開度Ａｍｉｎ以下である場合には、シフトアップの指令を出力することなくフローを終了し、高速段への変速を禁止する。
【００２４】
本発明の変速機制御装置の作動は、図３のシフトマップ（シフトアップの変速点ラインのみ表示）上においては、変速許可最低アクセル開度Ａｍｉｎ以下のアクセル開度について変速を禁止する斜線部の領域を設けたことに相当するから、無用なシフトアップが防止され登坂路においてシフトアップ、シフトダウンを繰り返すハンチングも生じない。例えば、登坂路において、図３のＡ点（図６のＡ点と同じ。以降も同様）の２速走行状態にある車両の速度が上昇しＢ点に移ったとしても、変速許可最低アクセル開度Ａｍｉｎ以下であるから３速への切り換えが行われることはなく、駆動トルクの減少による車速の低下は生じない。したがって、無用なシフトアップが防止され、変速機等に過大な負担がかからないと同時に、車両に与える変速ショックや運転者に与えるフィーリングの悪化を回避することができる。そして、変速許可最低アクセル開度Ａｍｉｎは、車両に作用する勾配抵抗の増加に応じて増大するように設定されているので、路面の勾配の状況に応じて、車速の低下が生じないエンジントルクを確保できる。
【００２５】
また、本発明の変速機制御装置では、運転者の意図しないシフトアップの実行が禁止され、エンジンブレーキの制動効果を確保することが可能である。例えば、車両が図３におけるＤ点の２速の走行状態にあるときに、減速のために運転者がアクセルペダルから足を離すと、車両の走行状態は３速領域であるＥ点に移る。しかし、このときのアクセル開度は変速許可最低アクセル開度Ａｍｉｎ以下であるから、シフトアップが禁止されて車両は２速の状態を保ち、十分なエンジンブレーキの制動力により車両の速度は迅速に減少することとなる。
【００２６】
ここで、変速許可最低アクセル開度Ａｍｉｎを決定するために必要な、車両に作用する勾配抵抗の算出方法の一例について説明する。勾配抵抗Ｒｉは、車両が走行する路面の勾配をθ、車両の質量をＭ、重力加速度をｇとすると次式で表すことができる。
Ｒｉ＝Ｍｇｓｉｎθ
車両には、車速を検出する車速センサとともに、加速度を検出する加速度センサを装着する。車両の前後方向の加速度は、車速センサで検出された車速を微分することによって算出される。また、加速度センサでは、勾配に伴う加速度成分であるｇｓｉｎθの値が加算された加速度が検出されるから、路面の勾配θは、車速センサで検出された車速を微分した加速度と、加速度センサで検出された加速度とを対比することにより算出することができる。こうした路面の勾配θの測定方法は周知のものとなっている。車両の質量Ｍについては、車両のサスペンションに備えられたばねの変位をストロークセンサにより計測して求め、上記の式によって勾配抵抗を計算する。
【００２７】
ちなみに、図５に示す動力伝達装置には、エンジンとクラッチとの間に流体継手が配置してあり、車両発進時に流体継手の滑りを利用した発進を行う。このような動力伝達装置では、流体継手のポンプとタービンとの速度比に対する伝達トルクの関係を表すトルク特性を用いて車両駆動トルクを求め、かつ、路面勾配等の車両に働く抗力と車両の加速度とを演算等で求め、運動方程式（車両に作用する力＝車両質量×車両加速度）を適用して車両質量Ｍを計算することができる。この車両質量Ｍの計算方法を用いると、ばねの変位を計測するストロークセンサが不要となる。
【００２８】
ところで、変速機制御装置の制御系統には、何らかの原因で外乱が発生したりノイズが混入する場合があり、例えば、勾配抵抗の演算のための検出信号にノイズが混入すると、誤って変速許可最低アクセル開度が設定され、不測のシフトアップ操作が行われることになる。図４には、そのようなノイズに起因する誤操作を防止する制御フローを示す。
図４のフローは、図１のフローのステップＳ８とＳ９との間にタイマー回路を設けたものである。このフローでは、ステップＳ８で変速許可最低アクセル開度Ａｍｉｎを超えると判断されたときは、ステップＳ８１に移行してタイマーを１周期時間だけ進行させ、ステップＳ８２に進む。ステップＳ８２では、タイマーが所定時間（例えば１秒）進行したか否かをチェックし、進行していない場合は処理を終え、所定時間が経過したときにステップＳ９１に進んでシフトアップの指令を出力する。そして、ステップＳ８において変速許可最低アクセル開度Ａｍｉｎ以下であると判断された場合には、ステップＳ８３に移行してタイマーをクリアする。したがって、図４のフローでは、ノイズの混入に起因してステップＳ８で変速許可最低アクセル開度を超えると判断されたとしても、ノイズはごく短時間で消滅するからシフトアップが指令されることはなく、誤った判断に基づくシフトアップが防止される。
【００２９】
以上詳述したように、本発明は、シフトマップにより変速段を切り換える変速機制御装置において、エンジンのアクセル開度が所定値以下の状態ではシフトアップを禁止し、しかも、その所定値を車両が走行する路面の勾配抵抗に応じて変更して、登坂路での頻繁な変速操作を解消し、エンジンブレーキによる制動力を確保するものである。よって、本発明の変速機制御装置が、シフトマップを利用する制御装置であれば、自動変速機と自動変速制御の平行軸歯車機構式変速機とを問わず適用できることはいうまでもない。また、上記実施例では、シフトアップを禁止するアクセル開度が所定値を図２のように設定しているが、例えば、所定値の数値を変更したり、あるいは変速段に対応して複数の所定値を設定するなど、上記実施例に対し各種の変更が可能であることは明らかである。
【図面の簡単な説明】
【００３０】
【図１】本発明の変速機制御装置における基本部分の作動を示すフローチャートである。
【図２】本発明の変速機制御装置で用いる変速許可最低アクセル開度のマップを表す図である。
【図３】本発明の変速機制御装置のシフトアップ禁止作動を説明する図である。
【図４】本発明の変速機制御装置の作動を示すフローチャートである。
【図５】車両における動力伝達装置とその制御装置を示す図である。
【図６】変速機制御装置の一般的なシフトマップを示す図である。
【符号の説明】
【００３１】
１  エンジン
２  変速機
２１  変速機制御装置
３  クラッチ
３１  クラッチ制御装置
５  車速センサ
Ｓ１〜Ｓ９  制御フローの各ステップ
【図１】
0005145821.tif 000002
【図２】
0005145821.tif 000003
【図３】
0005145821.tif 000004
【図４】
0005145821.tif 000005
【図５】
0005145821.tif 000006
【図６】
0005145821.tif 000007